(57)【要約】【課題】設置高さの高い目隠しパネルは、目隠し性の必要からパネル面が閉ざされた面であることが多く、したがって通気性に欠けることが多かったし、当然支柱や、基礎を高強度にしておく必要があった。又、目隠し用の部材を直接ビスなどの固定具で上から直接固定しておくことが多く、美観的に良くないものが多く、面材も2メーターピッチのパネルにするには、断面性能のある形の物や肉厚のある部材が必要となり高価なものになっていた。【解決手段】本柵用パネルの発明は、断面が略M形をしたレール状部材を中間の補強部材を介して表裏に構成させ順に取着することで、表裏感の極めてない均一な柵用パネルになるし、更に補強部材をパネル中央の面に構成していることで、略M形をしたレール状部材がそんなに断面性能のないものでも、強風でも充分に耐える目隠し性の高いフェンスが構成できるところにある。【選択図】図６
2014214515.tif 000002
【特許請求の範囲】
【請求項１】
断面略M形をしたレール状部材を複数枚取り付けた柵用パネルにおいて、レール状部材の断面中央部に配設した溝部に底広となっている底広部を有する溝部が設けられ、レール状部材は補強部材を挟むように表及び又は裏に配設され取り付けられていることを特徴とする柵用パネル。
【請求項２】
レール状部材は、補強部材に取り付けられたクリップ金具に、レール状部材断面中央部溝部に設けられた底広部を、嵌着させ取り付けられることを特徴とする請求項１に記載の柵用パネル。
【発明の詳細な説明】
【技術分野】
【０００１】
本発明は、目隠し性を備えたパネルに於いて、断面が略M形をしたレール状形材をパネル面全体の表裏に順に構成し、中間に補強部材を構成することで、目隠し性が高く表裏感が少ないばかりか、高強度でデザイン性が高く、通気性も良好な目隠しパネルを使用した柵に関する。
【背景技術】
【０００２】
従来、目隠し柵に使用されている目隠しパネルは、帯状のアルミニウム製の押出形材のルーバーを複数枚、枠材に単純に固定する形で構成されていた。
【０００３】
そして、隣地との境界などに取り付けられるのであるが、その目的が防犯の為であったり、目隠しの為であったりするが、更には通風性がある形で取り付けされている。
【０００４】
しかしながら、支柱とパネルの構成で目隠し性と通気性並びに、強度を考慮する必要があるが、使用しているアルミニウム製の押出形材のルーバー同士が連結されていないことが多く、個々に帯状のルーバー単独で機械的強度を確保する必要があり、従って強風時でも耐えるようにするには、当然肉厚の厚い物であるとか、ルーバー同士を連結するとか、断面性能の大きい部材を使わざるを得なかったのである。特に突風などの強風時に目隠しパネルとして十分な強度を持たせるためには、高強度なものにする必要があり、高価なものになっていた。
【０００５】
〔特許文献1〕には、課題として、複数枚の目隠しパネルを支柱間に縦横に張設することによって建物の外壁を全面的に覆い隠すことができる高さの高い且つ優れた外観を呈するフェンスを構成するとあり。その解決手段として、目隠しパネルＡは、平面横長長方形状の鋼板材からなる上下横桟部材１、２間に複数本の縦桟部材と上下方向に並列した羽根板とを一体に設け、且つ、最上部に設けている羽根板の上端部を上側横桟部材の前面側から上方に突出させてなる形状に形成されてあり、この目隠しパネルＡを隣接する支柱の前面間に縦列状態に積み重ねると共に、上下目隠しパネルＡ、Ａの対向する横桟部材間の隙間を下側の目隠しパネルＡの最上部の羽根板における上記上端部によって覆い隠したフェンス構造としているとある。
【０００６】
しかし、このように構成された目隠しフェンスは、目隠し性と通風性があるとしているが、この形状では目隠しの向きが出きるし、目隠し性も良くない。通気性の向きも一定であり、噴き下げや噴き上げがきつかったりする。目隠し性を改良すると共に、突風などの突然の強風時に強度的に充分な物にするためには、ルーバーの断面性能を大幅に上げる必要があるが、この形状では鋼板の持っている強度を充分に出していない。
【先行技術文献】
【特許文献】
【０００７】
【特許文献１】特開２００３−３１３９３９
【発明の概要】
【発明が解決しようとする課題】
【０００８】
本発明は、以上のような従来の欠点に鑑み、戸建て住宅、アパート、マンション等の隣地との境界などに使用される目隠し塀は、目隠し性を目的とした物であり、併せて通気性や透光性についても配慮したいのであるが、目隠し性が高くても風が通らなかったりする。そこで目隠し性が高く通気性や透光性も充分あり、突風にも対応できる目隠し柵を提供せんとするものである。
【０００９】
薄いカラ―鋼板を使用したロールホーミング加工されたものや、アルミニウムやプラスチックスの押出形材の持っている成形性に着眼しつつ、パネルとしての機械的強度は勿論、目隠し性の機能を付与すると共に、使用部材の選定によっては、プラスチックの持つ透光性をも取り入れて、理想的な目隠し柵を提供することを目的としている。
【課題を解決するための手段】
【００１０】
請求項１では、  断面略M形をしたレール状部材を複数枚取り付けた柵用パネルにおいて、レール状部材の断面中央部に配設した溝部に底広となっている底広部を有する溝部が設けられ、レール状部材は補強部材を挟むように表及び又は裏に配設され取り付けられていることを特徴とする柵用パネルとした。
【００１１】
これは、断面が略Ｍ形をしたレール状部材で補強部材を挟むように表裏に順に取着することで、通気性の方向性が無くなるし、表裏の柵用パネルの強度もほぼ均一になるばかりか、目隠し性の指向性もなくなるなど、大幅に各種性能が上がるのである。
【００１２】
レール状部材を略Ｍ形にすることで、レール状部材としての強度を大幅に上げることが出来るばかりか、更に、略Ｍ形の断面のほぼ中央部に配設した溝部が底広の溝８となっていることで、表裏の中間に一本又は複数本の補強部材７を構成するとき、略Ｍ形のレール状部材６と補強部材７を簡単なクリップ金具９で容易に嵌着させることが出来、大幅にパネル全体の強度を上げられるのである。ちなみに中央に補強部材７を構成させると、配設した略Ｍ形のレール状部材６の強度は４分の一の強度で済むし、更にパネルに補強部材を３本入れると、略Ｍ形のレール状部材の強度は１６分の一で良いことになる。このことは補強部材７が枠材にきっちりと固定されていることが条件であるが。
【００１３】
請求項２では、  レール状部材は、補強部材に取り付けられたクリップ金具に、レール状部材断面中央部溝部に設けられた底広部を、裏面から嵌着させ取り付けられることを特徴とする請求項１に記載の柵用パネルとした。
【００１４】
これは、表裏に略Ｍ形のレール状部材６に補強部材７を構成させて柵用パネル４並びに５を組み立てた時、表裏の略Ｍ形のレール状部材６同士をパッチン式のクリップ金具９を配設し嵌着させることで容易に取り付けできるし、目隠し性も変えられる。カラーコーディネートされた縞のデザイン目隠しパネル５も簡単に構成できるのである。
【００１５】
又、鋼板をロールホーミング加工した略Ｍ形のレール状部材６を使って柵用パネル４並びに５を構成する時、ロールホーミング加工のロールに通す時に、表裏の色の違う鋼板の裏表をひっくり返してロールホーミング加工したものと、そうでないものとを交互に組付けて目隠しパネル４並びに５を構成させると、表裏の色が違うものや、縞模様の目隠しパネルが容易に製作出来るし、パッチン式であるので修正も容易にできる。
【００１６】
この事は、目隠しパネルの設置場所の片側が商店で裏側が住宅とした時、商店側を白色にするとともに、裏側の住宅側は茶色などの色を付けた目隠しパネルが簡単に構成できるのである。
【発明の効果】
【００１７】
以上の説明から明らかなように、本発明にあっては次に列挙する効果が得られる。
（１）略Ｍ形の断面形状にすることで、カラー鋼板の肉厚の薄いものやアルミニュウムやプラスチックスなどの材質的に低強度のものでも、極めて断面性能の高いレール状部材に出来る。
【００１８】
（２）補強部材７の表裏に略Ｍ形のレール状部材６順を嵌着させているので、表裏感も少なく、強度的にも表裏がバランスのとれた柵用パネル４並びに５となる。
【００１９】
（３）風を逃がすことが出来ることは勿論のこと、柵用パネル４並びに５に構成された略Ｍ形のレール状部材６に補強部材７をクリップ金具９で嵌着させて構成し、柵用パネルを組みつけると、略Ｍ形のレール状部材６があまり強度のないものでも使用できることになるし、薄手のアルミニュウムの押出部材や、カラ―アルミのロールホーミング加工したものでも、プラスチックスの薄手の物でも使用できるのでコストパーホーマンスの高い製品になる。
【００２０】
（４）  横デザインの柵用パネル４に構成された補強部材７を柵用パネル４の下に伸ばすことで、その脚となる部分を支柱として基礎部と一体にすることが出来る。こうすることで補強部材７が支柱にもなるのである。特に強い風荷重を意識しなければならない現場では。簡単に補強部材７を支柱とした柵として使用することが出来るのである。
【００２１】
請求項２では、更に次のような効果がある。
（５）パッチン式のクリップ金具９で取り付けすることで、容易に目隠し性が現場でも変えられるし、カラーコーディネートされた縞のデザイン目隠しパネル４、５も簡単に構成できるのである。
（００１５）で述べたようなことが簡単に構成出来るのである。
【図面の簡単な説明】
【００２２】
【図１】本発明柵用パネルの横デザインの設置状態の一般図である。
【図２】本発明柵用パネルの縦デザインの設置状態の一般図である。
【図３】本発明柵用パネルに使用される目隠しパネルの正面からの斜視図である。
【図４】柵用パネルの略Ｍ形のレール状部材と補強部材との正面からの見え方の部分図である。
【図５】柵用パネルの図３の縦断面の部分図である。
【図６】図３の略Ｍ形のレール状部材と補強部材との横断面の部分図である。
【図７】クリップ金具の斜視図である。
【図８】略Ｍ形のレール状部材と補強部材とをクリップ金具で嵌着させる様子の斜視図である。
【図９】略Ｍ形のレール状部材の断面と補強部材とをクリップ金具で嵌着させた参考図である。
【図１０】本発明の略Ｍ形のレール状部材の図１０の変形実施例の断面図。
【図１１】本発明の略Ｍ形のレール状部材のアルミ二ユ―ムによる断面図。
【図１２】本発明の略Ｍ形のレール状部材の基本の断面図。
【図１３】図５の柵用パネルの縦断面の変形例部分図である。
【図１４】図１４と同じく、図５の柵用パネルの縦断面の変形例部分図である。
【発明を実施するための形態】
【００２３】
以下本発明の実施の形態を図に基づいて説明する。
【実施例１】
【００２４】
図１は、目隠しパネル１の設置状態の一般図で、地上２メーターの目隠し柵を設置しようとするとき、支柱２を２メーターピッチで建て、その支柱間に概略寸法で、縦１メーター横２メーターの目隠しパネル４を２枚、段積して構成させる。この時の支柱２の断面はＨ形鋼や、矩形のパイプなど色々な形状のもので構成される。又、支柱２は基礎３に固定される。
【００２５】
図２も、目隠しパネル１の設置状態の一般図で、図１のデザインが横の縞模様に対して、縦の縞模様の一般図である。
【００２６】
図３は、縦１メーター横２メーターの柵用パネル４の正面からの斜視図である。主要部材として略Ｍ形のレール状部材６、図１０を目隠しパネルの主要部材として組みこむのであるが、その枚数は略５枚から２０枚程度の略Ｍ形のレール状部材６で構成する。横枠１５と１６は縦枠１７とで高強度に固着される。
【００２７】
上部横枠１３や下部横枠１４は耐久性を考えるとアルマイト加工されたアルミニュウム押出材がいいが、ステンレスや、耐久性の高い鋼材であっても何ら差し支えない。両側の縦枠も同様である。
【００２８】
図４は図３の部分拡大図である。略Ｍ形レール状部材６はカラ―鋼板製で、厚みが０．５ミリメートルで幅１００ミリメートル程度とし、アルミニュウムの押し出し型材で製作された補強部材７にステンレス製のクリップ金具９で嵌着させ固着される。
【００２９】
ここで、クリップ金具９で嵌着するようにしたのは、ビスで略Ｍ形レール状部材６のほぼ中央の溝の底広部で補強部材に固着しても良いが、あまりにも目立ってしまうので、クリップ金具で固着するようにした。この事は、略Ｍ形レール状部材断面中央付近に底広部の溝８を構成することと、補強部材７をアルミニュウムの押出形材を採用することで、後に説明するクリップ金具９との嵌着が極めて容易となるのである。
【００３０】
図５は、柵用パネル４の目隠し用の主要部材として使用される略Ｍ形レール状部材６が柵用パネル４に表裏の両面にクリップ金具９で嵌着させ、組み込まれた時の縦断面図である。この略Ｍ形レール状部材６はカラ―アルミニュウムやカラ―鉄板をロールホーミング加工されたものが適当であるが、アルミニュウムやプラスチックス製の押出形材製のものであっても差し支えはない。又、金属製のコイルをロールホーミングする前に、木目などの模様の印刷されたシートを張り付けておいてロールホーミング加工すると、一気に木目などの印刷された略Ｍ型のレール状部材ができあがる。
【００３１】
図６は、補強部材７の表裏には略Ｍ形レール状部材６を構成して、補強部材７を挟み込むのである。この時の補強部材の寸法は矩形で、２０ミリメートルから５０ミリメートル程度の物が適当であるが、これ以下でも以上でも目的によっては寸法を変えても何ら差し支えるものではない。
【００３２】
図７は、クリップ金具９で、略コノ字形の両端部にツメを持つ形のほぼ同じ物を上下に９０度ヅらして構成したもので、補強部材７の表裏の略Ｍ形レール状部材６と補強部材とを嵌着させるのに使用される。このクリップ金具９のツメＡ１０が補強部材７を囲い込むように押し込んで補強部材７と嵌着すると共に、クリップ金具９のもう一つの違う面のツメＢ１１と略Ｍ形レール状部材６の底広部で裏面側から嵌着する。
【００３３】
クリップ金具９の材質はプラスチックスでも構わないが、長期にわたって使用することから考えるとステンレススチール製が適当である。
【００３４】
図８は、クリップ金具９が補強部材７と略Ｍ形レール状部材６とを嵌着させる様子の斜視図である。クリップ金具９のツメＡ１０が補強部材７の溝に嵌め込む形で嵌着させ、もう一方のツメＢ１１を略Ｍ形レール状部材６の底広の溝の外側を囲い込むように押し込んで略Ｍ形レール状部材６と嵌着させることで、補強部材７と略Ｍ形レール状部材６とが嵌着される。
【００３５】
補強部材７の断面にタッピングホール１４を設けておくと、縦枠や横枠との高強度の固着が容易に行える。
【００３６】
図９は、クリップ金具９が、補強部材７の表裏の略Ｍ形レール状部材６と補強部材とを嵌着させた部分の図である。このクリップ金具９のツメA１０が補強部材７を囲い込むように押し込んで補強部材７と嵌着すると共に、クリップ金具９のもう一つの違う面のツメB１１で略Ｍ形レール状部材６とも嵌着する。
【００３７】
図１０は、略Ｍ形レール状部材６の図１２の変形実施例の断面図で、略Ｍ形レール状部材６の両端部１２を内側に折り曲げた形状にしている。これは端部の断面性能を上げる目的と、切り口からの錆の発生を外側から見せないための工夫である。
【００３８】
略Ｍ形レール状部材６の横幅は、略５０ミリメートルから２００ミリメートルで構成されるが、これ以上であっても以下であっても良い。５０ミリメートル以下では細かすぎるし、２００ミリメートル以上では中央の掴みだけでは弱いものとなる。略Ｍ形レール状部材６の高さは、略１０ミリメートルから３０ミリメートル位が適当で、これ以上でも以下でもいいが、バランスが悪くなる。
【００３９】
略Ｍ形レール状部材６の肉厚は０，３５ミリメートルから１ミリメートル程度が適当で、アルミニュウム製にあっては１ミリメートルから２ミリメートル程度が適当であるが、これ以下でも以上でも構わない。
【００４０】
図１１は、略Ｍ形レール状部材６をアルミニュウムの押出加工されたものを採用した時の、形状のイメージである。この時カラ―鋼板製のロールホーミング加工では無理であった中央部の略山形１９のような形状が容易に形成できる。レール状部材の底広部の代わりに、略山形１９のこの両端部の立ち上り部にクリップ金具９のツメA１０をツメB１１のような形状にしておくと、嵌め込みやすくて外れにくいものとなる。
【００４１】
図１２は、略Ｍ形レール状部材６の基本断面図である。溝をつぼ形底広部の溝２０のようにしておくと、クリップ金具９のツメＡ１０がより抜けにくくなる。
【００４２】
図１３は、表裏に構成される略Ｍ形レール状部材６を間引いて構成した事例の部分断面図である。略Ｍ形レール状部材６と略Ｍ形レール状部材６との間から補強部材７を見せる形で間引いている。
【００４３】
図１４は、表裏に構成される略Ｍ形レール状部材６を断面で半分ヅラして構成した事例の断面図である。
【００４４】
またこの補強部材７は横縞の目隠しパネル５にあっては、その目隠しパネル５の下部の横枠１４を突き破って、更に下げて基礎部４に固着させ支柱に代替えすることも出来、極めて高強度の目隠し柵１とすることが可能である。
【００４５】
更にクリップ金具９を使って補強部材７と略Ｍ形レール状部材６を固定するのを標準とするのであるが、縦枠や横枠に隠れる部分では、略Ｍ形レール状部材６の底広部で補強部材７とタッピングビスなどで止めると、コストも安く強度的にも理想的な柵用パネルが出来上がる。
【００４６】
このような構成にすることで、台風や突然の強風時にも耐えるように、風が吹き抜けやすくすることも出来るし、略Ｍ形のレール状部材６が比較的に断面性能の弱い薄手の部材でも、補強部材７が目隠しパネル全体の断面性能を大幅に向上させることが出来、極めて経済的な目隠し柵１になるのである。
【符号の説明】
【００４７】
１  目隠し柵
２  支柱
３  基礎
４  横デザイン柵用パネル
５  縦デザイン柵用パネル
６  略Ｍ形レール状部材
７  補強部材
８  底広部の溝
９  クリップ金具
１０  ツメＡ
１１  ツメＢ
１２  折り曲げ部
１３  補強部材溝
１４  タッピングホール
１５  上部横枠
１６  下部横枠
１７  タッピングホール
１８  クリップ金具穴
１９  中央折り曲げ部
２０  ツボ形底広部の溝
【図１】
2014214515.tif 000003
【図２】
2014214515.tif 000004
【図３】
2014214515.tif 000005
【図４】
2014214515.tif 000006
【図５】
2014214515.tif 000007
【図６】
2014214515.tif 000008
【図７】
2014214515.tif 000009
【図８】
2014214515.tif 000010
【図９】
2014214515.tif 000011
【図１０】
2014214515.tif 000012
【図１１】
2014214515.tif 000013
【図１２】
2014214515.tif 000014
【図１３】
2014214515.tif 000015
【図１４】
2014214515.tif 000016